(57)【要約】【目的】  本発明は、風呂の湯、化粧液、飲用水に対し、使用直前に手軽に水素を溶解させてその酸化還元電位を下げることにより、皮膚や毛髪の保水力を高め、外観を改善すると共に、心身をリラックスさせ酸化ストレスへの抵抗性を高めることを目的とする。【構成】  本発明は、使い切り量を吸湿防止容器で充填した水素化ホウ素ナトリウムを含むことを特徴とする水の還元処理剤及びそれを含有する用時調製の外用組成物である。本発明の組成物は、水や製剤の適正なＯＲＰ（酸化還元電位）をコントロールするための配合量の制限、使用状況により必要に応じて、水素化ホウ素ナトリウムの飛散を防ぐ剤形と通気性及び通水性を有する袋の利用、ホウ素化合物の溶出を防ぐ吸着剤との併用、及びｐＨ安定剤やその他の外用剤成分との併用に関する工夫が含まれる。本組成物を用いることにより、手軽に安全に水や製剤の酸化還元電位を下げることができる。【選択図】  なし【特許請求の範囲】
【請求項１】
使い切り量を吸湿防止容器に充填した水素化ホウ素ナトリウムを含むことを特徴とする水の還元処理剤。
【請求項２】
使い切り量を吸湿防止容器に充填した水素化ホウ素ナトリウムを含むことを特徴とする用時調製の皮膚または頭髪用の外用組成物。
【請求項３】
使用する水または外用剤に対し水素化ホウ素ナトリウムを０．０１〜２ｐｐｍ作用させることを特徴とする請求項１記載の還元処理剤または請求項２記載の用時調製の外用組成物。
【請求項４】
請求項１記載の還元処理剤または請求項２記載の用時調製の外用組成物において、吸湿防止容器に密封される製剤中に水素化ホウ素ナトリウムとホウ素吸着剤を含むことを特徴とするもの。
【請求項５】
請求項１記載の還元処理剤または請求項２記載の用時調製の外用組成物において、吸湿防止容器に密封される製剤中に水素化ホウ素ナトリウムと有機酸を含むことを特徴とするもの。
【請求項６】
請求項１記載の還元処理剤または請求項２記載の用時調製の外用組成物において、吸湿防止容器に密封される製剤が、通気性及び通水性を有する袋に充填されていることを特徴とするもの。
【発明の詳細な説明】
【技術分野】
【０００１】
本発明は、水素化ホウ素ナトリウムを含有する還元処理剤及びそれを含有する用時調製の外用組成物である。本組成物を利用直前に用いることにより、製剤溶液に微量の水素を放出する。その水素が製剤溶液の酸化還元電位を下げ、皮膚や毛髪の保水力を高め、外観を改善すると共に、心身をリラックスさせ酸化ストレスへの抵抗性を高めることに関する。
【背景技術】
【０００２】
近年、生体成分を酸化させる要因として、フリーラジカルや活性酸素がとりあげられ、その悪影響が問題となっている。フリーラジカルや活性酸素は、コラーゲン等の生体組織を分解あるいは架橋し、また、脂質を酸化して、細胞に障害を与える過酸化脂質をつくると言われている。老化を防ぐ方法の一つの考え方として、健康な生体内のＯＲＰ（酸化還元電位）が通常の水の場合に比べて低く保たれて酸化を防いでいると推定されている。生体のみならず体に取り入れる食物、水のＯＲＰについても同様に低く保たれているものがよいとされている（非特許文献１）。水のＯＲＰを下げる方法としては、水素ガスの溶解（水素水）や水を電気分解することによって得られる電解還元水の利用が知られている。
【０００３】
実際に人体のＯＲＰは、水の平衡ＯＲＰより低く、老化とともに上昇する傾向にある。電解還元水を用いた風呂の湯につかることにより、皮膚ＯＲＰを低下させる効果が認められ、長期的に肌の弾力性が上昇する効果が認められている（非特許文献２、非特許文献３、特許文献１）。さらに、電解水の抗酸化効果については、ラット飲用試験による有効性が報告されている（非特許文献５）。
【０００４】
また、水を含む製剤のＯＲＰを下げる還元性成分としては、グルタチオンやアスコルビン酸が挙げられるが、いずれも自身が不安定で酸化分解され易い。また、風呂等の大量の水を処理するには効率が悪く、飲用水に対して使用する場合は味を変化させる問題がある。一方、水素化ホウ素ナトリウムは、化学反応の還元剤として利用されているのみであり、美容や健康を目的とした水素を含有する還元水や還元性製剤を用時調製する方法へは利用されていない。
【０００５】
【非特許文献１】北里大医療衛生学部・中山ら、医学と生物、１２９、５、２５１−２５４、１９９４
【非特許文献２】大河内正一ら、温泉科学、４９（２）、５９−６４、１９９９年
【非特許文献３】大河内正一ら、温泉科学、５５（２）、５５−６３、２００５年
【非特許文献５】カルフォルニア州立大・青山ら、Ｂｉｏｓｃｉ．Ｂｉｏｔｅｃ．Ｂｉｏｃｈｅｍ．６９，１０，２００５年
【特許文献１】特願１９９９−２６９６５４号
【発明の開示】
【発明が解決しようとする課題】
【０００６】
風呂の湯、化粧液、飲用水に対し、使用直前に手軽に水素を溶解させてその酸化還元電位を下げることにより、皮膚や毛髪の保水力を高め、外観を改善すると共に、心身をリラックスさせ酸化ストレスへの抵抗性を高めることを目的とする。
水の酸化還元電位を下げる代表的な方法としては、水素ガスの溶解が知られているが、不安定であり、保存が効かない。また浴室等で大量の湯に溶解する場合は空気中への水素のロスが多く、引火し易い等の危険がある。そのため、電解水を利用する方法が検討されているが、まだ装置が煩雑で手軽に利用できない。本出願の課題は、手軽で安全な還元水と還元性外用剤、及びその製造法を提供することにある。
【課題を解決するための手段】
【０００７】
本発明者らは、鋭意研究を重ねた結果、水素化ホウ素ナトリウムを含む還元処理剤、浴用剤調製物または外用組成物の使いきり量を、吸湿しないようにアルミパウチ、ポリエチレン容器等に充填して保存し、必要時に開封して水または水を含む外用剤に添加することにより、手軽かつ安全に還元性の水素水や外用剤を調製できる。本発明によって調製した水または外用剤は、安全であり、抗酸化作用を有しており、皮膚や毛髪の保水力を高め、外観を改善すると共に、心身をリラックスさせることから、本発明を完成するに至った。
【０００８】
本発明に用いる水素化ホウ素ナトリウムとは、別名テトラヒドロホウ酸ナトリウムであり、市販品を用いることができる。その剤形は、使用前の飛散を防ぐため、粉末よりも顆粒、打錠または圧搾物が好ましいが、特に限定されない。顆粒または打錠に用いる賦形剤としては、乳糖、デキストリン、マルトース等があげられ、圧搾に用いるバインダーとしては、セルロース繊維、活性炭繊維、アクリル繊維、シリカゲル等が挙げられる。水素化ホウ素ナトリウムの１回の使用量は、調製する水または水を含む外用剤に対し水素化ホウ素ナトリウムとして０．０１〜２０ｐｐｍ、ＯＲＰを生体内の値である−１００ｍＶ程度に管理する点から好ましくは０．０１〜２ｐｐｍである。水素化ホウ素ナトリウムと水から水素とメタホウ酸ナトリウムが発生するが、メタホウ酸は、日本各地の温泉で多い場合２００ｐｐｍ以上含まれており、外用目的には問題ない。２０ｐｐｍのホウ素化合物は、６０ｋｇの大人が必要とする２Ｌの水を毎日飲用し続けても問題ないレベルであるが、飲用水に利用する場合には、水質基準の０．１ｐｐｍ以下に制御する必要がある。
【０００９】
本発明の還元処理剤を保存するための包装形態は、使いきり量を吸湿防止容器に密封することを特徴とする。容器の材質は、アルミパウチ、ポリエチレン容器等、吸湿防止に優れ、酸アルカリ耐性に優れた素材であればよく、簡単に開封できることが好ましい。また、本発明の還元処理剤の使用時に水素化ホウ素ナトリウムと水の反応をスムーズに進行させ、ｐＨの上昇を抑制するために、緩衝剤（ｐＨ４〜８）として有機酸を併用することが好ましいケースもあるが、それに限定されるものではない。併用する有機酸としては、クエン酸、クエン酸ソーダ、リンゴ酸、リンゴ酸ソーダ、乳酸、乳酸ソーダ等が挙げられる。
【００１０】
本発明の還元処理剤には、上記の組成物をそのまま使用しても良く、飲用目的には使用時のＯＲＰの調整に支障のない範囲で、乾燥果汁や清涼飲料水に利用される添加物を併用してもよい。また、外用目的には、通常の外用剤に用いられる成分である油脂類、ロウ類、炭化水素類、脂肪酸類、アルコール類、エステル類、界面活性剤、金属石鹸、ｐＨ調整剤、防腐剤、香料、保湿剤、粉体、紫外線吸収剤、増粘剤、色素、酸化防止剤、美白剤、キレート剤等の成分を配合することもできる。
【００１１】
本発明の外用組成物は、撹拌可能で水分を含む化粧品、医薬部外品及び医薬品のいずれにも用いることができ、その剤型としては、例えば、化粧水、クリーム、乳液、ゲル剤、エッセンス、パック、洗浄剤、浴用剤等の皮膚に適用されるもの、シャンプー、リンス、コンディショナー等の毛髪に適用されるものが挙げられる。
【００１２】
飲用水への利用においては、特に使用前の飛散や誤食を防ぎ、水の味に影響する可能性のある処理剤成分の溶出を防ぐ必要がある。好ましくは、水素化ホウ素ナトリウムとホウ素吸着剤で構成され、通気性及び通水性を有する袋に充填されていると、より安全である。ホウ素吸着剤としては、市販のキレート樹脂、キレート繊維、イオン交換繊維、ハイドロサルト及び赤玉土の焼成物が挙げられる。また、通気性及び通水性を有する袋としては、ポリエステル、ナイロン、テトロン、アクリル、セルロース等の繊維または多孔膜で構成されたものが挙げられるが、それに限定されるものではない。また、処理剤として、浄水用ろ過剤である粒状活性炭を併用すること、繊維状活性炭、イオン交換繊維を袋の組成物とすることも可能である。通気性及び通水性を有する袋に充填された本水処理剤を水に作用する方法としては、一般的には、飲用水であればペットボトル、タンクなどに貯えられた水に沈める方法が、発生する水素を水に吸収させ易いが、その処理剤を含む袋をフィルターとして利用することも可能である。
【発明の効果】
【００１３】
本発明によって調製した水及び外用剤は、安全であり、抗酸化作用を有しており、皮膚や毛髪の保水力を高め、外観を改善すると共に、心身をリラックスさせた。
【発明を実施するための最良の形態】
【００１４】
次に本発明を詳細に説明するため、実施例として本発明に用いる還元処理剤の製造例、本発明の処方例及び実験例を挙げるが、本発明はこれに限定されるものではない。実施例に示す配合量の部とは重量部を、％とは重量％を示す。
【実施例１】
【００１５】
製造例１  還元処理剤（水１Ｌ処理用）
水素化ホウ素ナトリウム２ｍｇ、活性炭１００ｍｇをポリエステル繊維で構成される不織布の小袋に入れて還元処理剤とし、さらにアルミパウチで包装した。
【００１６】
比較例１
製造例１の還元処理剤より水素化ホウ素ナトリウムを除いたものを比較例１の還元処理剤とした。
【００１７】
製造例２  還元処理剤（水１Ｌ処理用）
圧搾物（水素化ホウ素ナトリウム２ｍｇ、セルロースチップ１００ｍｇ相当）を活性炭繊維、イオン交換繊維、ポリエステル繊維で構成される小袋に入れて還元処理剤とし、さらにアルミパウチで包装した。
【００１８】
比較例２
製造例２の還元処理剤より水素化ホウ素ナトリウムを除いたものを比較例２とした。
【００１９】
製造例３  還元処理剤
水素化ホウ素ナトリウム２ｍｇ、イオン交換樹脂１００ｍｇをポリエステル繊維で構成される小袋に入れて還元処理剤とし、さらにアルミパウチで包装した。
【００２０】
比較例３
製造例３の還元処理剤より水素化ホウ素ナトリウムを除いたものを比較例３とした。
【００２１】
製造例４  還元浴用剤（風呂水１００Ｌ用）
顆粒混合物（水素化ホウ素ナトリウム０．２ｇ、塩化ナトリウム０．８ｇ、無水硫酸ナトリウム１ｇ、炭酸ナトリウム８ｇ、炭酸水素ナトリウム８ｇ、香料０．２ｇ）を還元浴用剤とし、さらにアルミパウチに充填した。
【００２２】
比較例４
製造例４の浴用剤より水素化ホウ素ナトリウムを除いたものを比較例４の浴用剤とした。
【００２３】
製造例５  用時調製パックシート
水素化ホウ素ナトリウム０．０２ｍｇ、クエン酸０．０５ｇ、クエン酸ナトリウム０．０５ｇ、アスコルビン酸０．０５ｇ、アロエ抽出物０．０５ｇを付着させた不織布シートをアルミパウチに充填した。使用時に開封し、精製水またはグリセリン水５０ｍＬを加えて用いる。
【００２４】
比較例５
製造例５の用時調製パックシートより水素化ホウ素ナトリウムを除いたものを比較例５のパックシートとした。
次に、本発明の効果を詳細に説明するため、実験例を挙げる。
【実施例２】
【００２５】
実験例１  ＯＲＰ比較及びホウ素の溶出について
製造例１及び比較例１の水処理剤をそれぞれ１Ｌの水道水を入れたペットボトルに加え、１分浸漬後にＯＲＰをＯＲＰ電極（ホリバ６８６１−１０Ｃ）を用いて比較測定した（表１）。その結果、ＯＲＰは、製造例１、比較例１、水道水の順に低いことから、本発明の水処理剤で処理した水は、還元性が高まったものと推定された。
【００２６】
【表１】
2010275510.tif 000002
【００２７】
また、製造例２、製造例３の還元処理剤で処理した水道水についても、同様に還元性を高めることができ、さらに処理水中のホウ素化合物量は、水質基準の０．１ｐｐｍ以下であった。
【００２８】
実験例２  毛髪の光沢への作用
製造例１及び比較例１の水処理剤をそれぞれ１Ｌの水道水を入れたペットボトルに加え、そのボトルの試験水に１日浸漬した毛束（黒髪）を用い、乾燥後（ドライヤー乾燥＋デシケーター保存）の光沢をデジタル変角光沢計（スガ試験機械）を用いて測定した。
測定は、入射角４５度で光りを照射し、４５度の正反射強度Ｒと７０度の散乱光強度Ｓとの比（Ｒ／Ｓ）により評価し、特定の未処理毛髪を標準として測定した。さらに各個体間のバラツキを排除するため、予め測定した浸漬前の測定値を０としてその差を算出した。その値が低いほど、光沢が低下したことを意味する（表２）。その結果、比較例１の水に１日浸漬すると光沢が低下したが、製造例１の水は光沢の低下を抑制する傾向が認められた。
【００２９】
【表２】
2010275510.tif 000003
【００３０】
実験例３  毛髪の水分吸収量
先の実験２で処理した毛束を用い、ドライヤーで乾燥（櫛を使い約１分）して重量測定によりその水分率（％）を算出した（表３）。その結果、前処理で還元水に１日浸漬した毛束は、水分吸収量が有意に高かった。
【００３１】
【表３】
2010275510.tif 000004
【００３２】
実験例４  イオン発生量
製造例１及び比較例１の水処理剤をそれぞれ１Ｌの水道水を入れたペットボトルに加え、加湿器に入れて浴室内を加湿した。１分後に浴室内で飛散するマイナスイオン発生量を空気イオンカウンター（アンデス電気製）を用いて測定した。その結果、マイナスイオン数は、製造例１の方が比較例１よりも多くなったことから、本発明の水処理剤で処理した水はマイナスイオンの発生量を増加させるものと推定された。
【００３３】
【表４】
2010275510.tif 000005
【００３４】
実験例５  皮膚への作用
製造例３及び比較例３の還元処理剤をそれぞれ市販のローション各１００ｍＬに加えて、肌に塗布した後の潤いをインピーダンスメーター（ＳＫＩＣＯＮ−２００、ＩＢＳ社製）にて測定した。その結果、ローションの還元処理品において皮膚保湿作用（インピーダンス）が増強された。
【００３５】
【表５】
2010275510.tif 000006
【００３６】
実験例６  使用試験
製造例４の浴用剤及び比較例４の浴用剤を、それぞれ別に１００Ｌの湯に添加した。毛髪にパサツキを感じる成人３０人（２０〜４０才）を対象に市販のシャンプーを用いて洗髪した後、浴用剤で処理した湯ですすいだ。使用後、毛髪の潤いについてアンケート調査を行った。
これらの試験結果を表６に示した。その結果、本発明の浴用剤は、毛髪に関して優れた潤い作用を示した。
【００３７】
【表６】
2010275510.tif 000007
【００３８】
実験例７  使用試験
製造例４の浴用剤及び比較例４の浴用剤を、それぞれ別に浴槽の１００Ｌの湯に添加した。健康な成人３０人（２０〜４０才）を対象に５分間足湯をした後、足の疲労回復作用、潤いに関するアンケート調査を行った。
これらの試験結果を表７及び８に示した。その結果、本発明の浴用剤は、足湯に利用して、疲労回復感、皮膚のしっとり感を高めることができた。また使用時に皮膚トラブル等も認められず安全であると判断された。
【００３９】
【表７】
2010275510.tif 000008
【００４０】
【表８】
2010275510.tif 000009
【００４１】
製造例５のパックシートについても使用試験を行ったところ、安全であり、潤い改善作用、美肌作用に優れていた。